(57)【要約】【課題】連結体内でフック部材同士の捩れやずれが生じない新規なルアー用フックおよびそれを備えた釣り用ルアーの提供。【解決手段】ほぼＪ字形をした第１フック部材３１と第２フック部材３２とを変形可能な連結体３３で束ねると共に、その連結体３３は、第１フック部材３１を貫通させて保持する第１保持孔３３ｂと第２フック部材３２を貫通させて保持する第２保持孔３３ｃとを備える。これによって、魚がかかるなどして各フック部材３１、３２が互いに大きく動いてもそのフック部材３１，３２同士が連結体３３内で捩れたりずれたりすることがなくなる。【選択図】図２
2020080720.tif 000002
【特許請求の範囲】
【請求項１】
ほぼＪ字形をした第１フック部材と第２フック部材とを変形可能で復元性を有する連結体で束ねると共に、前記連結体は、前記第１フック部材を貫通させて保持する第１の保持孔と前記第２フック部材を貫通させて保持する第２の保持孔とを備えたことを特徴とするルアー用フック。
【請求項２】
請求項１に記載のルアー用フックにおいて、
前記連結体は、シリコンゴムからなることを特徴とするルアー用フック。
【請求項３】
請求項１または２に記載のルアー用フックにおいて、
前記連結体の第１保持孔と第２保持孔は、それぞれ断面楕円形に形成されていると共に、断面ハの字形に配置されていることを特徴とするルアー用フック。
【請求項４】
前記請求項１乃至３のいずれかに記載のルアー用フックをルアーボディのフックアイに取り付けたことを特徴とする釣り用ルアー。
【発明の詳細な説明】
【技術分野】
【０００１】
本発明は、ルアーフィッシングに用いる釣り用ルアーに係り、特にそのルアーボディに取り付けられるルアー用フックおよびこれを備えた釣り用ルアーに関する。
【背景技術】
【０００２】
一般にルアーフィッシングに用いる釣り用ルアーとしては、プラグ、ミノー、ジグやスプーンなどと称される小魚や小動物、昆虫などに似せたルアーボディの腹部や尾びれ部にフックをぶら下げた構造のものが多く利用されている。このルアーボディに取り付けられたフックは、魚に触れるとその口やエラなどに引っかかるようにその針先がＪ字形に曲げられると共にその先端には引っかかった針が魚から外れるのを防ぐためのかえしが形成されている。
【０００３】
また、このフックはあらゆる方向からの魚の食いつきに対応するために、３本の針先を等間隔、すなわちルアーボディ側に連結される軸に対してそれぞれ約１２０°の間隔で３本の針先を放射状に配置したものが多く利用されている。また、針先がルアーボディに衝突する音を軽減するために２本の針先を有するフックも多く用いられている。
【０００４】
しかし、このように３本または２本の針先を有する従来のフックは、その針先同士の間隔（角度）が固定されているため、いずれか１つの針先に魚が食いついた（引っかかった）後は、さらに他の針先に引っかかる可能性は低い。そのため、その針先に引っかかった魚が暴れると、その浅く引っかかった部分（口やエラ）がちぎれてしまい、そのままフックアウトして魚が逃げてしまうことがある。
【０００５】
また、仮に２つ以上の針先に掛かったとしても各針先の間隔が固定されているため、いずれかの針先に力が集中して力の分散ができず、その結果、同様な不都合を招く。そして、さらに食いついた魚が大型であると、その重さや抵抗力に耐えきれずにその針先が延びたり、折れたりしてしまい、その針先から魚が抜け落ちてしまうこともある。
【０００６】
そこで、本発明者は以下の特許文献１に示すように、そのフックとして、互いに独立したＪ字形の第１フック部材と第２フック部材とから構成すると共に、これら一対のフック部材を拡縮自在な連結体で束ねるように連結して構成したものを発明した。このような構成とすることにより、第１のフック部材と第２のフック部材とが他方の動きにかかわらずそれぞれ独自に動くようになるため、例えば一方のフック部材にのみ魚が引っかかった後に、魚が暴れるなどしてさらに他方のフックに対して魚の他の部分が引っかかる可能性が高くなる。
【０００７】
これによって２本の独立したフックで魚を捉えることになり、また、魚の動きに対して２本の独立したフックが逃げ惑う魚の動きに追従するため、両方のフックに力が均一に分散する。この結果、フックが浅く引っかかった部分がちぎれたり、魚の重さや抵抗によって針先が延びたり、折れたりしてしまうといった不都合を回避することを可能としている。
【先行技術文献】
【特許文献】
【０００８】
【特許文献１】特許第５９２３６７６号公報
【発明の概要】
【発明が解決しようとする課題】
【０００９】
ところで、上述したような新たな構造のフックは、図１３（Ａ）および図１３（Ａ）に示すように各フック部材ａ、ｂの軸部ａ１、ｂ１をゴムチューブなどの拡縮自在な連結体ｃで束ねた構造となっているが、ルアーの着水時の衝撃や魚がかかった際の動きなどによって図１３（Ｂ）および図１３（Ｂ）に示すように各フック部材ａ、ｂが連結体ｃ内で捩れたり上下にずれてしまうことがある。この状態でそのまま使用してもその機能は発揮できるが、本来の動きがある程度規制されてしまうことからその都度手で元の状態に戻すことが望ましく、その作業が煩わしいと感じることがある。
【００１０】
そこで、本発明はこれらの課題を解決するために案出されたものであり、その目的は連結体内でフック部材同士の捩れやずれが生じない新規なルアー用フックおよびそれを備えた釣り用ルアーを提供することにある。
【課題を解決するための手段】
【００１１】
前記目的を達成するために本発明は、ほぼＪ字形をした第１フック部材と第２フック部材とを変形可能で復元性を有する連結体で束ねると共に、前記連結体は、前記第１フック部材を貫通させて保持する第１の保持孔と前記第２フック部材を貫通させて保持する第２の保持孔とを備えたことを特徴とするルアー用フックおよびこれを備えた釣り用ルアーである。
【００１２】
従来の連結体が一対のフック部材を１つの貫通孔内でまとめて保持しているのに対し、本発明ではその連結体が２つの保持孔を有し、それぞれの保持孔に対して第１フック部材と第２フック部材とを貫通させてそれぞれ独立して保持された状態となっている。これによって魚がかかって各フック部材が大きく動いてもそのフック部材同士が捩れたりずれたりすることがなくなる。
【発明の効果】
【００１３】
本発明に係るルアー用フックは、連結体の各保持孔に対して第１フック部材と第２フック部材とを貫通させてそれぞれ独立して保持するようにしたため、魚がかかるなどして各フック部材が互いに大きく動いてもそのフック部材同士が連結体内で捩れたりずれたりすることがなくなる。
【図面の簡単な説明】
【００１４】
【図１】本発明に係る釣り用ルアー１００の実施の一形態を示す側面図である。
【図２】図１中Ａ方向からみた正面図である。
【図３】（Ａ）は第１フック部材３１を上方から見た平面図、（Ａ）は第２フック部材３２を上方から見た平面図である。
【図４】（Ａ）は図２中Ｙ部の拡大縦断面図、（Ｂ）は図２中Ｘ−Ｘ線の拡大横断面図である。
【図５】本発明に係るルアー用フック３０の組立例を示す説明図である。
【図６】本発明に係るルアー用フック３０の動きを示す説明図である。
【図７】本発明に係るルアー用フック３０の他の実施形態を示す正面図である。
【図８】本発明に係るルアー用フック３０の他の実施形態を示す正面図である。
【図９】図８中Ａ部を示す拡大図である。
【図１０】（Ａ）は図９中Ａ部Ｘ−Ｘ矢視図、（Ｂ）は図９中Ａ部Ｙ−Ｙ矢視図である。
【図１１】連結体３３の他の実施形態を示す拡大斜視図である。
【図１２】本発明に係るルアー用フック３０の他の実施形態を示す正面図である。
【図１３】本発明者が先に発明した既存のルアー用フックの動きの一例を示す説明図である。
【図１４】図１３中Ｘ−Ｘ線の拡大横断面図である。
【発明を実施するための形態】
【００１５】
以下、本発明の実施の形態を添付図面を参照しながら説明する。図１は本発明に係る釣り用ルアー１００の実施の一形態を示したものである。図示するようにこの釣り用ルアー１００は、魚形状をしたルアーボディ１０と、このルアーボディ１０の腹部および尾びれ部付近に設けられたフックアイ２０，２０に、溶接リングやスプリットリングなどからなる連結リング２１，２１を介して揺動自在に係合するルアー用フック３０，３０とから構成されている。
【００１６】
このルアーボディ１０は、実際の魚や小動物、昆虫などの形態を模したプラスチックや金属、ゴムなどで形成されており、その口元付近のラインアイ２２に接続されたライン４０に引っ張られるようにして水中または水面付近に位置して周囲の魚を引きつけるように機能する。なお、このルアーボディ１０は、その尾びれ部分が中折れ式で左右に揺動するものもある。
【００１７】
フック３０は、図２に示すように第１フック部材３１と第２フック部材３２とを連結体３３で束ねて構成されている。第１フック部材３１は、炭素鋼などの高強度の針金からなっており、直線状の軸部３１ａの頂部にリング状の吊下げ部３１ｂを有していると共に、その下端部にはＪ字形に湾曲した針先部３１ｃが一体的に形成されている。この針先部３１ｃは、図３（Ａ）に示すようにリング状の吊下げ部３１ｂの上方から見ると、その環状面Ｓ１に対して約４５°〜６０°程度左側に湾曲した状態となっている。
【００１８】
一方、図２に示すように第２フック部材３２も第１フック部材３１と同様に、直線状の軸部３２ａの上端にリング状の吊下げ部３２ｂを有していると共に、その下端部はＪ字形に湾曲した針先部３２ｃが一体的に形成されているが、この針先部３２ｃは、図３（Ｂ）に示すようにリング状の吊下げ部３２ｂの上方から見ると、第１フック部材３１とは反対にその環状面Ｓ２に対して約４５°〜６０°程度右側に湾曲した状態となっている。なお、この角度に関しては４５°〜６０°に限定されるものでなく、使用するルアーの幅や形状によってさまざまに異なる。
【００１９】
従って、図２に示すようにこれら第１フック部材３１の吊下げ部３１ｂと第２フック部材３２の吊下げ部３２ｂとを重ね合わせるような状態で束ねると、それぞれの針先部３１ｃ、３２ｃは左右斜め方向にそれぞれ約４５°〜６０°づつ扇状に外側に開いた状態となっている。なお、図７に示すようにこれら各フック部材３１，３２の針先部３１ｃ、３２ｃの内側にそれぞれ、魚が食いついた後に針が外れ難くするためのかえし（バーブ）３１ｄ、３２ｄを設けても良い。
【００２０】
この第１フック部材３１と第２フック部材３２とを束ねる連結体３３は、図４に示すように、ほぼ直線状をした各軸部３１ａ、３２ａとほぼ同じ長さをした棒状の連結体本体３３ａに一対の保持孔３３ｂ、３３ｃがその長手方向に平行に貫通するように形成されている。そして、一方の第１保持孔３３ｂには、第１フック部材３１の軸部３１ａが貫通して保持されていると共に、他方の第２保持孔３３ｃには、第２フック部材３２の軸部３２ａが貫通して保持されている。
【００２１】
この連結体３３の材質としては、適度な強度を有しつつ変形可能で復元性のある材料であればよく、例えばシリコンゴムや電気絶縁材料などとして用いられているポリオレフィン、フッ素系ポリマー、熱可塑性エラストマーなどから構成されている。なお、このような構造をした連結体３３の製造方法としては、例えば樹脂の押出成形方法や、一対の導体を絶縁体で被覆した電線の製法のような公知の技術をそのまま利用することができる。
【００２２】
このような構造をしたフック３０の組み立て方法としては、例えば図５に示すように第１フック部材３１と第２フック３２部材の針先部３１ｃ、３２ｃ側から連結体３３を押し込むようにすることで容易に組み立てることができる。すなわち、同図（Ａ）に示すように第１フック部材３１と第２フック３２部材の針先部３１ｃ、３２ｃ同士を揃えてそれらの先端に連結体３３を被せるようにして挿入してそのまま針先部３１ｃ、３２ｃに沿って連結体３３を押し込む。具体的には、第１フック部材３１の先端を第１保持孔３３ｂ側に挿入すると共に、第２フック３２部材の先端を第２保持孔３３ｃ側に挿入してそのまま同図（Ｂ）に示すように連結体３３を針先部３１ｃ、３２ｃに沿って押し込む。
【００２３】
その後、さらにこの連結体３３をそのまま針先部３１ｃ、３２ｃに沿って湾曲させながら通過させて軸部３１ａ、３２ａ側に押し込み、その連結体３３の挿入先端側が吊下げ部３１ｂ、３２ｂに到達するまで押し込む。これによって、同図（Ｃ）に示すように第１フック部材３１と第２フック３２部材が連結体３３によってその軸部３１ａ、３２ａ部分でしっかりと連結されると共に、吊下げ部３１ｂ、３２ｂ同士が僅かな間隔を隔てて平行に位置しつつ、それらの針先部３１ｃ、３２ｃが所定の角度（環状面Ｓ１，Ｓ２上に対してそれぞれ約４５°〜６０°）で前方に開くような形態で保持される。
【００２４】
そして、この第１フック部材３１および第２フック部材３２に対して何ら外力が加わらない状態では、図６（Ａ）に示すようにその元の形状が維持されるが、この第１フック部材３１および第２フック部材３２はもともとそれぞれ独立していることから、他方の状態にかかわらず、その連結体３３を軸として互いに自由に動くことができる。
【００２５】
図６（Ｂ）は、第１フック部材３１および第２フック部材３２の針先部３１ｃ、３２ｃ同士が離間するように外側に向けて動いた状態を示したものであり、同図（Ｃ）はその針先部３１ｃ、３２ｃ同士が接近するように内側に向けて動いた状態を示したものである。もちろんいずれか一方のみが動くことも可能である。そして、外力が加わってその針先部３１ｃ、３２ｃが向きを変えた場合には、その環状の吊下げ部３１ｂ、３２ｂ同士が互いに干渉し合うため、同図（Ｂ）、（Ｃ）に示すようにその軸部３１ａ、３２ａ同士が離れて連結体３３が一時的に広がように変形するが、その外力を取り除くとその連結体３３の収縮力によって同図（Ａ）に示すように軸部３１ａ、３２ａ同士が平行になるように自然に元の状態に戻ることになる。
【００２６】
そして、このフック３０を図１に示すようにその針先部３１ｃ、３２ｃがライン４０方向に向くようにしてルアーボディ１０に取り付けると、第１フック部材３１または第２フック部材３２がそれぞれ独自に動くことになるため、そのいずれか一方にのみ、例えば第１フック部材３１にのみ魚が引っかかった後に、その魚が暴れるなどしてさらに他方の第２フック部材３２に接触してこれがその魚の他の部分に引っかかる可能性が極めて高くなる。
【００２７】
第１フック部材３１および第２フック部材３２の針先部３１ｃ、３２ｃはＪ字形に湾曲しているため、一旦引っかかった針先部３１ｃ、３２ｃは簡単に抜け落ちることはない。また、この第１フック部材３１および第２フック部材３２は外力が加わることにより他方のフック部材の位置や動きに規制されずにそれぞれ独自に動くため、一旦引っかかった後は魚が暴れるほどにより深く魚の口やエラに食い込むことになる。これによって、独立して動く２本のフック部材３１，３２で魚をしっかりと捉えることができるため、第１フック部材３１または第２フック部材３２の一方にのみ浅く引っかかった部分がちぎれて魚が逃げてしまったり、魚の重さや抵抗によって針先が延びて抜け落ちてしまうといった不都合を回避することができる。
【００２８】
従って、一旦食いついた後は魚が暴れたり、大型であってもこれを逃がすことなく確実に釣り上げることができる。そして、このようにして釣り上げた魚を取り外した後のフック３０は、その外力が無くなることによってその連結体３３の収縮力によって元の状態に自然に戻るため、各フック部材３１，３２の位置を調整するなどといった、特に手を加えることなくそのまますぐに再利用することができる。
【００２９】
また、前述したように従来の連結体が一対のフック部材３１，３２を１つの保持孔内で束ねるように保持しているのに対し、本発明に係るフック３０ではその連結体３３が２つの保持孔３３ｂ、３３ｃを有し、それぞれの保持孔３３ｂ、３３ｃに対して第１フック部材３１と第２フック部材３２を貫通させてそれぞれ独立して保持した状態となっているため、魚がかかって各フック部材３１，３２が大きく動いたとしてもそのフック部材３１、３２同士が連結体３３内で捩れたりずれたりすることはない。
【００３０】
また、本発明のフック３０は、第１フック部材３１および第２フック部材３２が独立して魚の口などに絡みつくようになっているため、一旦引っかかった後は魚が暴れた程度では簡単に外れることはない。そのため、第１フック部材３１および第２フック部材３２のかえし（バーブ）３１ｄ、３２ｄを省略できる（バーブレスフック）ため、釣った魚の損傷を最小限に抑えることができる。従って、キャッチアンドリリースを前提としたスポーツフィッシングで用いる釣り用のフックとしても最適である。また、釣った魚を他人に譲ったり販売するときにはその商品価値を損なうことがない。
【００３１】
次に、図８乃至図１２は本発明に係る釣り用ルアー１００の他の実施の形態を示したものである。本実施の形態では図１０および図１１に示すように、連結体３３の２つの保持孔３３ｂ、３３ｃをそれぞれ断面楕円形にすると共に、その保持孔３３ｂ、３３ｃをハの字形に形成したものである。そして、この連結体３３を、図８に示すように第１フック部材３１および第２フック部材３２の軸部３１ａ、３２ａから針先部３１ｃ、３２ｃに亘って取り付けることで、第１フック部材３１および第２フック部材３２の針先部３１ｃ、３２ｃの角度を一定の角度を保ったまま保持できるようにしたものである。
【００３２】
すなわち、この第１フック部材３１および第２フック部材３２は、前述したようにそれぞれ直線状の軸部３１ａ、３２ａの下端部にこれから緩やかにカーブするようにＪ字形の針先部３１ｃ、３２ｃが連続して形成されている。そして、図９および図１０に示すようにこの第１フック部材３１および第２フック部材３２は、連結体３３の上端部分では、各保持孔３３ｂ、３３ｃの内側端を通過するように位置している（図１０（Ａ））が、連結体３３の下方になるに従って各保持孔３３ｂ、３３ｃの外側に向き、その下端部分では各保持孔３３ｂ、３３ｃの外側端を通過するようになっている（図１０（Ｂ））。
【００３３】
これによって、各保持孔３３ｂ、３３ｃに第１フック部材３１および第２フック部材３２を通過させることで、それぞれの針先部３１ｃ、３２ｃが各保持孔３３ｂ、３３ｃの長軸方向に自然と向くように保持されることになる。また、この保持孔３３ｂ、３３ｃは断面ハの字形になるように形成されているため、これら針先部３１ｃ、３２ｃの角度は一定の角度を保ったまま保持されることになる。
【００３４】
そのため、魚がかかった場合は、前記実施の形態にようにこの連結体３３が変形することにより、第１フック部材３１および第２フック部材３２がそれぞれ独立して自在に動くことになるが、加わっていた力が抜けると、連結体３３の復元力によって第１フック部材３１および第２フック部材３２が元の位置関係に戻るようになる。
【００３５】
つまり、前記実施の形態では、連結体３３の収縮力によって第１フック部材３１および第２フック部材３２のリング状の吊下げ部３１ｂ、３２ｂ同士の干渉が解消されるように作用することで元の位置関係を保つようになっているが、本実施の形態では、連結体３３の２つの保持孔３３ｂ、３３ｃをそれぞれ断面楕円形にすると共に、その保持孔３３ｂ、３３ｃをハの字形に形成し、その保持孔３３ｂ、３３ｃ自体の復元力のみによって元の位置関係を保つようにしたものである。
【００３６】
従って、本実施の形態のような連結体３３を用いれば、第１フック部材３１および第２フック部材３２のリング状の吊下げ部３１ｂ、３２ｂを小さくしたり、無くしたりすることも可能となる。これにより、図１２に示すようにジギングやソルトウォーターのトップウォータールアーフィッシングなどに使用されているアシストフック５０をそのまま利用することも可能となる。なお、このアシストフック５０は、図示するようにフック部材５１ａの端部に紐状のアシストライン５１ｂを備えた一対のアシストフック５１，５１を連結リング５２に取り付けた構造となっており、各アシストフック５１，５１自体はそれぞれ独立して動くもののそれらの位置関係を保つ機能はない。
【符号の説明】
【００３７】
１００…釣り用ルアー
１０…ルアーボディ
２０…フックアイ
２１…連結リング
２２…ラインアイ
３０…ルアー用フック
３１…第１フック部材
３２…第２フック部材
３１ａ、３２ａ…軸部
３１ｂ、３２ｂ…吊下げ部
３１ｃ、３２ｃ…針先部
３１ｄ、３２ｄ…かえし（バーブ）
３３…連結体
３３ａ…連結体本体
３３ｂ…第１保持孔
３３ｃ…第２保持孔
４０…ライン
【図１】
2020080720.tif 000003
【図２】
2020080720.tif 000004
【図３】
2020080720.tif 000005
【図４】
2020080720.tif 000006
【図５】
2020080720.tif 000007
【図６】
2020080720.tif 000008
【図７】
2020080720.tif 000009
【図８】
2020080720.tif 000010
【図９】
2020080720.tif 000011
【図１０】
2020080720.tif 000012
【図１１】
2020080720.tif 000013
【図１２】
2020080720.tif 000014
【図１３】
2020080720.tif 000015
【図１４】
2020080720.tif 000016